(57)【要約】【課題】簡単な構成で、奥行き感、奥行き感のあり、また、見る方向により外観が変化して見える化粧パネルを提供できる。【解決手段】基材１の表面にインク層２を形成し、該インク層２がパールを混入したパール入りインク層部３と、パールを混入しないインク層部４とよりなる。パール入りインク層部３とパールを混入しないインク層部４とがインク層２の厚み方向と直交する方向に隣り合って設けてある。【選択図】図１
2008207395.tif 000002
【特許請求の範囲】
【請求項１】
基材の表面にインク層を形成し、該インク層がパールを混入したパール入りインク層部と、パールを混入しないインク層部とよりなり、上記パール入りインク層部とパールを混入しないインク層部とがインク層の厚み方向と直交する方向に隣り合って設けてあることを特徴とする化粧パネル。
【請求項２】
パール入りインク層部及びパールを混入しないインク層部がいずれも線状となっていることを特徴とする請求項１記載の化粧パネル。
【請求項３】
パール入りインク層部及びパールを混入しないインク層部の線の巾がそれぞれ０．５〜２．０ｍｍの範囲であることを特徴とする請求項２記載の化粧パネル。
【請求項４】
パール入りインク層部のインクと、パールを混入しないインク層部のインクが同色系の色であることを特徴とする請求項１乃至請求項３のいずれか一項に記載の化粧パネル。
【請求項５】
パール入りインク層部のインクと、パールを混入しないインク層部のインクは彩度が低いことを特徴とする請求項１乃至請求項４のいずれか一項に記載の化粧パネル。
【発明の詳細な説明】
【技術分野】
【０００１】
本発明は、表面をインク層で化粧した化粧パネルに関するものである。
【背景技術】
【０００２】
従来から、基材の表面にインク層を形成して表面の化粧を行うようにしている。そして、インク層の厚み方向に印刷インクによる絵柄層部、パール顔料を分散させたパールインク層部とを重複することでインク層を構成したものが、特許文献１により知られている。
【０００３】
ところが上記特許文献１に示された従来例においては、インク層の厚み方向に印刷インクによる絵柄層部、パール顔料を分散させたパールインク層部とを重複したもので、印刷インクによる絵柄層部はパールインク層部を介してしか見えないものであり、せっかく２種類の異なるインク層部があるにもかかわらず、外観の見え方は基本的に１種類の外観としてしか見えず、見る方向により多様な見え方ができないという問題があり、また、面全体としてパールが分散されているので、奥行き感が乏しいという問題があった。
【特許文献１】特開平８−２８１８９７号公報
【発明の開示】
【発明が解決しようとする課題】
【０００４】
本発明は上記の従来の問題点に鑑みて発明したものであって、簡単な構成で、奥行き感があり、また、見る方向により外観が変化して見える化粧パネルを提供することを課題とするものである。
【課題を解決するための手段】
【０００５】
上記課題を解決するために本発明に係る化粧パネルは、基材１の表面にインク層２を形成し、該インク層２がパールを混入したパール入りインク層部３と、パールを混入しないインク層部４とよりなり、上記パール入りインク層部３とパールを混入しないインク層部４とがインク層２の厚み方向と直交する方向に隣り合って設けてあることを特徴とするものである。
【０００６】
このような構成とすることで、インク層２を真正面から見ると光沢感のあるパール入りインク層部３と、光沢感のないパールを混入しないインク層部４とがそのままの模様で見えるが、インク層２を斜め方向から見ると、光沢感のあるパール入りインク層部３部分はパールの光沢が斜めから見えるため、真正面から見る状態と異なった光沢感で見えると共に、パールを混入しないインク層部４部分は該パールを混入しないインク層部４を通して隣のパール入りインク層部３の側面の光沢が見えることになり、この部分においては、光沢感のあるパール入りインク層部３が奥行き感のある状態で外観され、しかも、インク層２の表面に対するインク層２を斜め方向から見る角度の違いにより、これらの外観が微妙に変化して外観できる。
【０００７】
また、パール入りインク層部３及びパールを混入しないインク層部４がいずれも線状となっていることが好ましい。
【０００８】
このような構成とすることで、パール入りインク層部３及びパールを混入しないインク層部４の形成が容易に行え、また、光沢感、奥行き感がストライプ模様状に変化した外観とすることができる。
【０００９】
また、パール入りインク層部３及びパールを混入しないインク層部４の線の巾がそれぞれ０．５〜２．０ｍｍの範囲であることが好ましい。
【００１０】
このような構成とすることで、これにより、斜めから見た場合に、パールを混入しないインク層部４の表面部分における外観として、パールを混入しないインク層部４のみが見える割合をできるだけ少なくして、パールを混入しないインク層部４を通してパール入りインク層部３の側面が見える割合をできるだけ大きく取ることができ、全体として光沢感、奥行き感に変化がある外観とすることができる。
【００１１】
また、パール入りインク層部３のインクと、パールを混入しないインク層部４のインクが同色系の色であることが好ましい。
【００１２】
このような構成とすることで、パール入りインク層部３のインクと、パールを混入しないインク層部４が、同色系の色で、光沢感、奥行き感の違う外観とすることができる。
【００１３】
また、パール入りインク層部３のインクと、パールを混入しないインク層部４のインクは彩度が低いことが好ましい。
【００１４】
このような構成とすることで、光沢感、奥行き感を強調できる。
【発明の効果】
【００１５】
本発明は、上記のように、パール入りインク層部とパールを混入しないインク層部とがインク層の厚み方向と直交する方向に隣り合って設けてあるので、簡単な構成で、奥行き感、奥行き感のあり、また、見る方向により外観が変化して見える。
【発明を実施するための最良の形態】
【００１６】
以下、本発明を添付図面に示す実施形態に基いて説明する。
【００１７】
基板１としては鋼板、合成樹脂板、窯業系板等があり、この基板１の表面にインク層２が形成されると共に、裏面には裏面側塗装層５が形成される。
【００１８】
基材１の表面に形成されるインク層２は、パールを混入したパール入りインク層部３と、パールを混入しないインク層部４とよりなり、図１、図２に示すように、パール入りインク層部３とパールを混入しないインク層部４とが形成されるインク層２の厚み方向と直交する方向に隣り合って設けてある。つまり、つまりパール入りインク層部３とパールを混入しないインク層部４とが、基材１の表面と平行な面上で隣り合って設けてある。
【００１９】
図１、図２に示す実施形態では、パール入りインク層部３とパールを混入しないインク層部４とはそれぞれ線状（実施形態では略直線状）をしていて、形成されるインク層２の厚み方向と直交する方向に交互にストライプ調の柄として形成してある。パール入りインク層部３とパールを混入しないインク層部４とをそれぞれ線状とすることでパール入りインク層部３とパールを混入しないインク層部４を形成するに当って、様々な塗装方法により容易に形成することができる。ここで、パール入りインク層部３とパールを混入しないインク層部４とはそれぞれ透明又は半透明となっている。
【００２０】
複数のパール入りインク層部３及び複数のパールを混入しないインク層部４の線の各巾はそれぞれ０．５〜２．０ｍｍの範囲内で任意に設定してあり、また、パール入りインク層部３のインクと、パールを混入しないインク層部４のインクは同系色のものを用いる。また、パール入りインク層部３のインクと、パールを混入しないインク層部４のインクは彩度が低いことが好ましい。
【００２１】
パール入りインク層部３とパールを混入しないインク層部４とでなるインク層２の表面には必要に応じて図１のように透明な表面保護層６が形成される。表面保護層６としては例えばＰＥＴフィルムなどを積層することで形成する。
【００２２】
また、基板１の裏面の裏面側塗装層５は例えばエポキシ塗料を塗布することにより形成する。
【００２３】
上記のような構成の本発明の化粧パネルは、図３の矢印ａで示す方向からインク層２を見ると（つまりインク層２を正面から見ると）、光沢感のあるパール入りインク層部３と、光沢感のないパールを混入しないインク層部４とが隣り合ったそのままの模様で見えることになる。一方、インク層２を斜め方向から見ると、光沢感のあるパール入りインク層部３部分は矢印ｂ１のようにパールの光沢が斜めから見えるため、前述の真正面から見る状態と異なった光沢感で見えると共に、パールを混入しないインク層部４部分は矢印ｂ２のようにパールを混入しないインク層部４を通して隣のパール入りインク層部３の側面の光沢が見えることになり、この部分においては、光沢感のあるパール入りインク層部３が奥行き感のある状態で外観されることになる。
【００２４】
また、インク層２の表面に対するインク層２を斜め方向から見る角度の違いにより、これらのパールによる光沢感、奥行き感が微妙に変化することになる。
【００２５】
ここで、上記のように複数のパール入りインク層部３及び複数のパールを混入しないインク層部４の線の各巾をそれぞれ０．５〜２．０ｍｍの範囲内とすると、斜めから見た場合に、パールを混入しないインク層部４の表面部分における外観として、パールを混入しないインク層部４のみが見える割合をできるだけ少なくして、パールを混入しないインク層部４を通してパール入りインク層部３の側面が見える割合をできるだけ大きく取ることができることになる。例えば、インク層２の塗布厚を０．７ｍｍとした場合、パールを混入しないインク層部４の線の幅を０．７ｍｍとすると、インク層２を斜めに見る場合の角度が、パールを混入しないインク層部４の表面に対して４５°以下の場合にはパールを混入しないインク層部４のみが見える割合はほぼゼロとなる。
【００２６】
また、パール入りインク層部３とパールを混入しないインク層部４との線幅が０．５〜２．０ｍｍにあることで、両者の間に大きな線幅の差がなく、このため、斜めから見た場合にパール入りインク層部３とパールを混入しないインク層部４とで光沢や奥行き感において微妙な差異があるが、全体としては光沢感、深み感に微妙なストライプ模様状の変化のあるインク層２とすることが可能となる。
【００２７】
また、この場合、パール入りインク層部３のインクと、パールを混入しないインク層部４のインクが同色系の色であったり、インクの彩度が低いといっそう光沢感、奥行き感を強調できることになる。
【００２８】
添付図面に示す実施形態においては、パール入りインク層部３とパールを混入しないインク層部４とをそれぞれ線状として交互に隣接するストライプ調の柄とした例を示したが、必ずしも線状のものに限定されず、パール入りインク層部３、パールを混入しないインク層部４が他の任意の模様であってもよい。
【図面の簡単な説明】
【００２９】
【図１】本発明の一実施形態の断面図である。
【図２】同上の平面図である。
【図３】同上の作用説明図である。
【符号の説明】
【００３０】
１  基材
２  インク層
３  パール入りインク層部
４  パールを混入しないインク層部
【図１】
2008207395.tif 000003
【図２】
2008207395.tif 000004
【図３】
2008207395.tif 000005